(57)【要約】【課題】記録媒体に記録された画像データのスライドショーを、携帯機器の種類に応じて適切に表示することができる記録装置及び画像閲覧方法の提供。【解決手段】記録装置１に、画像データを携帯機器１１で、その種類に応じた形態でスライドショーとして再生するための携帯機器用データを生成する携帯機器用データ生成手段と、携帯機器用データを所定の識別情報と共にサーバ１３に送信するデータ送信手段とを設ける。これにより、コンピュータ機器では記録媒体１０に記録された画像データとスライドショーのアプリケーションとを用いて、家電機器１４では記録媒体１０に記録された家電機器用データを用いて、また、携帯機器１１ではサーバ１３に記憶された携帯機器用データを用いて、それぞれスライドショーを再生することができる。【選択図】図１
2006303612.tif 000002
【特許請求の範囲】
【請求項１】
画像データを入力する手段と、
前記画像データを家電機器でスライドショーとして再生するための家電機器用データを生成する手段と、
前記画像データ及び前記家電機器用データを記録媒体に記録する手段と、を少なくとも備える記録装置において、
前記画像データを特定の携帯機器でスライドショーとして再生するための携帯機器用データを生成する手段と、
前記携帯機器用データと所定の識別情報とをサーバに送信する手段と、を備えることを特徴とする記録装置。
【請求項２】
画像データを入力する手段と、
前記画像データを家電機器でスライドショーとして再生するための家電機器用データを生成する手段と、
前記画像データ及び前記家電機器用データを記録媒体に記録する手段と、を少なくとも備える記録装置において、
前記画像データを特定の携帯機器でスライドショーとして再生するための携帯機器用データを生成する手段と、
前記携帯機器用データを電子メールに添付して前記特定の携帯機器に送信する手段と、を備えることを特徴とする記録装置。
【請求項３】
画像データを入力する手段と、
前記画像データを家電機器でスライドショーとして再生するための家電機器用データを生成する手段と、
前記画像データ及び前記家電機器用データを第１の記録媒体に記録する手段と、を少なくとも備える記録装置において、
前記画像データを特定の携帯機器でスライドショーとして再生するための携帯機器用データを生成する手段と、
前記携帯機器用データを前記特定の携帯機器で利用可能な第２の記録媒体に記録する手段と、を備えることを特徴とする記録装置。
【請求項４】
前記携帯機器用データを生成する手段では、前記画像データを、携帯機器の種類に応じた画素数、色数、データサイズ又はファイル形式に変換し、変換した前記画像データに基づいて前記携帯機器用データを生成することを特徴とする請求項１乃至３のいずれか一に記載の記録装置。
【請求項５】
前記携帯機器用データを生成する手段では、前記画像データをスライドショーとして再生するための動画データを、携帯機器の種類に応じた画素数、色数、データサイズ又はファイル形式に変換して前記携帯機器用データを生成することを特徴とする請求項１乃至３のいずれか一に記載の記録装置。
【請求項６】
更に、生成した前記携帯機器用データを、前記携帯機器の表示手段と略等しい画素数又はサイズで、前記記録装置の表示手段に表示させる表示制御手段を備えることを特徴とする請求項１乃至５のいずれか一に記載の記録装置。
【請求項７】
記録装置とサーバと携帯機器とが通信ネットワークで接続されてなるシステムにおける画像閲覧方法であって、
前記記録装置で、少なくとも、
画像データを入力する処理と、
前記画像データを家電機器でスライドショーとして再生するための家電機器用データを生成する処理と、
前記画像データ及び前記家電機器用データを記録媒体に記録する処理と、
前記画像データを特定の携帯機器でスライドショーとして再生するための携帯機器用データを生成する処理と、
前記携帯機器用データと所定の識別情報とを前記サーバに送信する処理と、を実行し、
前記サーバで、少なくとも、
受信した前記携帯機器用データを前記所定の識別情報に関連付けて記憶する処理と、
前記携帯機器から送信される前記所定の識別情報を参照して前記携帯機器用データを特定する処理と、
前記携帯機器用データを前記特定の携帯機器に送信する処理と、を実行し、
前記携帯機器で、少なくとも、
受信した前記携帯機器用データを再生する処理を実行することを特徴とする画像閲覧方法。
【請求項８】
記録装置と携帯機器とが通信ネットワークで接続されてなるシステムにおける画像閲覧方法であって、
前記記録装置で、少なくとも、
画像データを入力する処理と、
前記画像データを家電機器でスライドショーとして再生するための家電機器用データを生成する処理と、
前記画像データ及び前記家電機器用データを記録媒体に記録する処理と、
前記画像データを特定の携帯機器でスライドショーとして再生するための携帯機器用データを生成する処理と、
前記携帯機器用データを電子メールに添付して前記特定の携帯機器に送信する処理と、を実行し、
前記携帯機器で、少なくとも、
前記電子メールを受信して前記携帯機器用データを再生する処理を実行することを特徴とする画像閲覧方法。
【請求項９】
記録装置と携帯機器とを備えるシステムにおける画像閲覧方法であって、
前記記録装置で、少なくとも、
画像データを入力する処理と、
前記画像データを家電機器でスライドショーとして再生するための家電機器用データを生成する処理と、
前記画像データ及び前記家電機器用データを第１の記録媒体に記録する処理と、
前記画像データを特定の携帯機器でスライドショーとして再生するための携帯機器用データを生成する処理と、
前記携帯機器用データを前記特定の携帯機器で利用可能な第２の記録媒体に記録する処理と、を実行し、
前記携帯機器で、少なくとも、
前記第２の記録媒体を装填して前記携帯機器用データを再生する処理を実行することを特徴とする画像閲覧方法。
【請求項１０】
前記携帯機器用データを生成する処理では、前記画像データを、携帯機器の種類に応じた画素数、色数、データサイズ又はファイル形式に変換し、変換した前記画像データに基づいて前記携帯機器用データを生成することを特徴とする請求項７乃至９のいずれか一に記載の画像閲覧方法。
【請求項１１】
前記携帯機器用データを生成する処理では、前記画像データをスライドショーとして再生するための動画データを、携帯機器の種類に応じた画素数、色数、データサイズ又はファイル形式に変換して前記携帯機器用データを生成することを特徴とする請求項７乃至９のいずれか一に記載の画像閲覧方法。
【請求項１２】
前記記録装置で、更に、
生成した前記携帯機器用データを、前記携帯機器の表示手段と略等しい画素数又はサイズで、前記記録装置の表示手段に表示する処理を実行することを特徴とする請求項７乃至１１のいずれか一に記載の画像閲覧方法。
【発明の詳細な説明】
【技術分野】
【０００１】
本発明は、画像を閲覧可能にするための記録装置及び画像閲覧方法に関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（無人端末に関しては、例えば、下記特許文献１参照）。
【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。
【０００４】
更に、デジタルカメラやメディア、フィルムから読み取った画像データを、ＤＶＤプレーヤやＤＶＤレコーダ、ゲーム機のような家電機器でスライドショーとして再生するためのＶｉｄｅｏ−ＣＤ形式やＤＶＤ−Ｖｉｄｅｏ形式のデータ（以下、家電機器で再生するためのスライドショー用のデータを家電機器用データと呼ぶ。）を生成し、元の画像データと生成した家電機器用データとをＣＤ−Ｒ、ＤＶＤ−Ｒなどの記録媒体に書き込むサービスも行われている。
【０００５】
【特許文献１】特開平１１−８８１７号公報（第３−４頁、第１図）
【発明の開示】
【発明が解決しようとする課題】
【０００６】
一方、近年、サイズが大きく、解像度が高いモニタを備える携帯電話機などの携帯機器が普及しており、携帯機器でも画像を鮮明に表示することができるようになってきている。そこで、記録媒体に書き込んだ画像データやスライドショー用のデータを携帯機器で再生することができれば写真画像に関するサービスの使用促進を図ることができる。
【０００７】
しかしながら、上述したサービスは画像データをＣＤ−Ｒ、ＤＶＤ−Ｒなどの記録媒体に記録するのみであり、このような大きな記録媒体は一般に携帯機器で利用することはできない。また、デジタルカメラなどから読み取った画像データを通信ネットワークで接続されるサーバなどに保管するサービスもあるが、このサービスではデジタルカメラで撮影して得られた画像データが保管されるだけであり、スライドショー用のデータを保管するものはない。
【０００８】
また、ＣＤ−Ｒ、ＤＶＤ−Ｒなどの記録媒体に記録されたスライドショー用のデータはモニタサイズの大きい家電機器で再生することを前提にして生成されているため、モニタサイズの小さい携帯機器での利用には適していない。更に、携帯機器は種類によって性能が異なるため、画一的なデータでは各々の携帯機器で効果的なスライドショーを再生することができない。
【０００９】
本発明は、上記問題点に鑑みてなされたものであって、その主たる目的は、記録媒体に記録された画像データのスライドショーを、携帯機器の種類に応じて適切に表示することができる記録装置及び画像閲覧方法を提供することにある。
【課題を解決するための手段】
【００１０】
上記目的を達成するため、本発明の記録装置は、画像データを入力する手段と、前記画像データを家電機器でスライドショーとして再生するための家電機器用データを生成する手段と、前記画像データ及び前記家電機器用データを記録媒体に記録する手段と、を少なくとも備える記録装置において、前記画像データを特定の携帯機器でスライドショーとして再生するための携帯機器用データを生成する手段と、前記携帯機器用データと所定の識別情報とをサーバに送信する手段と、を備えるものである。
【００１１】
また、本発明の記録装置は、画像データを入力する手段と、前記画像データを家電機器でスライドショーとして再生するための家電機器用データを生成する手段と、前記画像データ及び前記家電機器用データを記録媒体に記録する手段と、を少なくとも備える記録装置において、前記画像データを特定の携帯機器でスライドショーとして再生するための携帯機器用データを生成する手段と、前記携帯機器用データを電子メールに添付して前記特定の携帯機器に送信する手段と、を備えるものである。
【００１２】
また、本発明の記録装置は、画像データを入力する手段と、前記画像データを家電機器でスライドショーとして再生するための家電機器用データを生成する手段と、前記画像データ及び前記家電機器用データを第１の記録媒体に記録する手段と、を少なくとも備える記録装置において、前記画像データを特定の携帯機器でスライドショーとして再生するための携帯機器用データを生成する手段と、前記携帯機器用データを前記特定の携帯機器で利用可能な第２の記録媒体に記録する手段と、を備えるものである。
【００１３】
本発明においては、前記携帯機器用データを生成する手段では、前記画像データを、携帯機器の種類に応じた画素数、色数、データサイズ又はファイル形式に変換し、変換した前記画像データに基づいて前記携帯機器用データを生成する構成とすることができる。
【００１４】
また、本発明においては、前記携帯機器用データを生成する手段では、前記画像データをスライドショーとして再生するための動画データを、携帯機器の種類に応じた画素数、色数、データサイズ又はファイル形式に変換して前記携帯機器用データを生成する構成とすることができる。
【００１５】
また、本発明においては、更に、生成した前記携帯機器用データを、前記携帯機器の表示手段と略等しい画素数又はサイズで、前記記録装置の表示手段に表示させる表示制御手段を備える構成とすることもできる。
【００１６】
また、本発明の画像閲覧方法は、記録装置とサーバと携帯機器とが通信ネットワークで接続されてなるシステムにおける画像閲覧方法であって、前記記録装置で、少なくとも、画像データを入力する処理と、前記画像データを家電機器でスライドショーとして再生するための家電機器用データを生成する処理と、前記画像データ及び前記家電機器用データを記録媒体に記録する処理と、前記画像データを特定の携帯機器でスライドショーとして再生するための携帯機器用データを生成する処理と、前記携帯機器用データと所定の識別情報とを前記サーバに送信する処理と、を実行し、前記サーバで、少なくとも、受信した前記携帯機器用データを前記所定の識別情報に関連付けて記憶する処理と、前記携帯機器から送信される前記所定の識別情報を参照して前記携帯機器用データを特定する処理と、前記携帯機器用データを前記特定の携帯機器に送信する処理と、を実行し、前記携帯機器で、少なくとも、受信した前記携帯機器用データを再生する処理を実行するものである。
【００１７】
また、本発明の画像閲覧方法は、記録装置と携帯機器とが通信ネットワークで接続されてなるシステムにおける画像閲覧方法であって、前記記録装置で、少なくとも、画像データを入力する処理と、前記画像データを家電機器でスライドショーとして再生するための家電機器用データを生成する処理と、前記画像データ及び前記家電機器用データを記録媒体に記録する処理と、前記画像データを特定の携帯機器でスライドショーとして再生するための携帯機器用データを生成する処理と、前記携帯機器用データを電子メールに添付して前記特定の携帯機器に送信する処理と、を実行し、前記携帯機器で、少なくとも、前記電子メールを受信して前記携帯機器用データを再生する処理を実行するものである。
【００１８】
また、本発明の画像閲覧方法は、記録装置と携帯機器とを備えるシステムにおける画像閲覧方法であって、前記記録装置で、少なくとも、画像データを入力する処理と、前記画像データを家電機器でスライドショーとして再生するための家電機器用データを生成する処理と、前記画像データ及び前記家電機器用データを第１の記録媒体に記録する処理と、前記画像データを特定の携帯機器でスライドショーとして再生するための携帯機器用データを生成する処理と、前記携帯機器用データを前記特定の携帯機器で利用可能な第２の記録媒体に記録する処理と、を実行し、前記携帯機器で、少なくとも、前記第２の記録媒体を装填して前記携帯機器用データを再生する処理を実行するものである。
【００１９】
このように、本発明の記録装置では、読み取った画像データと、該画像データを家電機器でスライドショーとして再生するための家電機器用データとを記録媒体に記録すると共に、該画像データを特定の携帯機器でスライドショーとして再生するための携帯機器用データを生成し、生成した携帯機器用データをサーバに記憶したり、電子メールに添付して該携帯機器に送信したり、該携帯機器で利用可能な第２の記録媒体に記録する処理を行うため、ユーザは該携帯機器を用いてサーバから携帯機器用データをダウンロード又はストリーミングしたり、携帯機器用データが添付された電子メールを受信したり、携帯機器用データが記録された第２の記録媒体を該携帯機器に装填することによって、携帯機器でスライドショーを閲覧することが可能となる。
【発明の効果】
【００２０】
本発明の記録装置及び画像閲覧方法によれば、記録媒体に記録された画像データのスライドショーを、携帯機器の種類に応じた適切な形態で表示することができる。
【００２１】
その理由は、本発明の記録装置では、デジタルカメラやメディアなどから読み取った画像データと、該画像データを家電機器でスライドショーとして再生するための家電機器用データとを記録媒体に記録すると共に、該画像データを特定の携帯機器でスライドショーとして再生するための携帯機器用データを生成し、生成した携帯機器用データを所定の識別情報と共に通信ネットワークで接続されたサーバに記憶するため、その携帯機器を用いてサーバから携帯機器用データをダウンロードしたりストリーミングすることによって、スライドショーを再生することができるからである。
【００２２】
また、生成した携帯機器用データを電子メールに添付して送信したり、生成した携帯機器用データをその携帯機器で利用可能なメディアに記録するため、携帯機器を用いて電子メールを受信したり、メディアを携帯機器に装填することによって、スライドショーを再生することができるからである。
【００２３】
これにより、コンピュータ機器では記録媒体に記録された画像データとスライドショーのアプリケーションとを用いてスライドショーを再生することができ、家電機器では記録媒体に記録された家電機器用データを用いてスライドショーを再生することができ、携帯機器ではサーバに記憶、又は電子メールに添付して送信、又は携帯機器用のメディアに記録された携帯機器用データを用いてスライドショーを再生することができ、好きな時間に好きな場所で記録媒体に記録された画像データのスライドショーを閲覧することができるようになり、写真画像に関するサービスの利用促進を図ることができる。
【発明を実施するための最良の形態】
【００２４】
従来技術で示したように、従来の記録装置では、デジタルカメラやデジタルカメラ用メディアから読み取った画像データと、該画像データを家電機器でスライドショーとして再生するための家電機器用データとを記録媒体に記録するだけであったため、画像データの利用範囲が限られてしまうという問題があった。一方、近年の携帯電話機などの携帯機器は表示手段の性能が向上しており、十分に画像を楽しむことができるようになっている。
【００２５】
そこで、本発明では、コンピュータ機器や家電機器でスライドショーを楽しむのみならず、携帯機器でもスライドショーを楽しむことができるように、記録装置に、画像データを特定の携帯機器でスライドショーとして再生するための携帯機器用データを生成する携帯機器用データ生成手段と、携帯機器用データを所定の識別情報と共にサーバに送信したり電子メールに添付して該携帯機器に送信するデータ送信手段や、携帯機器用データを該携帯機器で利用可能なメディアに記録するデータ記録手段とを設ける。これにより、コンピュータ機器では記録媒体に記録された画像データとスライドショーのアプリケーションとを用いて、家電機器では記録媒体に記録された家電機器用データを用いて、また、携帯機器ではサーバに記憶、又は電子メールに添付して送信、又は携帯機器用のメディアに記録された携帯機器用データを用いて、それぞれスライドショーを再生することができる。以下、上記実施形態について詳細に説明すべく、本発明の実施例について図面を参照して説明する。
【実施例１】
【００２６】
まず、本発明の第１の実施例に係る記録装置及び画像閲覧方法について、図１乃至図１０を参照して説明する。図１は、本実施例の画像閲覧システムの構成を模式的に示す図であり、図２乃至図５は、記録装置の他の構成を模式的に示す図である。また、図６は、記録装置の構成を示すブロック図であり、図７は、記録装置を用いた携帯機器用データの作成手順を示すフローチャート図、図８は携帯機器を用いた携帯機器用データの利用手順を示すフローチャート図である。また、図９は、携帯機器の特性を特定するために利用するテーブルの一例を示す図であり、図１０は、表示手段に表示されるスライドショー確認画面の構成例を示す図である。
【００２７】
図１に示すように、本実施例の画像閲覧システム１００は、記録装置１と、画像データを携帯機器でスライドショーとして再生するための動画データ（以下、携帯機器用データと呼ぶ。）を記憶するサーバ１３と、基地局１４を介して通信ネットワーク１２に接続し、サーバ１３から携帯機器用データを受信してスライドショーを再生する携帯機器（携帯電話機やＰＤＡなどの携帯端末、無線通信機能を備えたゲーム機などを総称して携帯機器１１と呼ぶ。）と、記録媒体１０から家電機器用データを読み取ってスライドショーを再生するＤＶＤプレーヤやＤＶＤレコーダ、ゲーム機等の家電機器１４とを備えている。
【００２８】
また、図６に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア９と呼ぶ。）を装填するメディア装填部２、デジタルカメラ８（デジタルスチルカメラ及びデジタルムービーカメラの双方を含む。）等の撮影機器を有線又は無線、赤外線等によって接続するための機器接続部３などを用いて画像データ（静止画像データ、動画データ、画像情報を含むデータを総称して画像データと呼ぶ。）を読み取るデータ入力手段１５と、入力した画像データを家電機器１４でスライドショーとして再生するためのＶｉｄｅｏ−ＣＤ形式、ＤＶＤ−Ｖｉｄｅｏ形式、ＨＤＴＶ形式等のデータ（以下、家電機器用データと呼ぶ。）を生成する家電機器用データ生成手段１６と、携帯機器１１の種類に応じた携帯機器用データを生成する携帯機器用データ生成手段１７と、記録媒体装填部５を用いて入力した画像データや生成した家電機器用データをＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１０に記録するデータ記録手段１８と、ネットワーク接続部４を用いて生成した携帯機器用データを所定の識別情報と共にサーバ１２に送信するデータ送信手段１９と、携帯機器の種類と該携帯機器の性能とを対応付けるテーブルなどを記憶する記憶手段２０と、生成した携帯機器用データの確認画面などを表示部６に表示させる表示制御手段２１と、ＬＣＤ、ＣＲＴ等の表示部６と、ボタン、キーボード、マウス等の操作部７と、を少なくとも備えている。
【００２９】
なお、上記各手段は記録装置１にハードウェアとして構成されていてもよいし、コンピュータを、少なくとも携帯機器用データ生成手段１７及びデータ送信手段１９として機能させるプログラムとして構成し、該プログラムを記録装置１にインストールして実行する構成とすることもできる。また、図１では写真店やコンビニエンスストア等の店舗に設置可能なキオスク型の記録装置１を記載しているが、記録装置１の形態は任意であり、例えば、図２に示すような卓上型の店頭端末としたり、図３に示すようなパーソナルコンピュータとしたり、図４に示すような専用のセットトップボックスとしたり、図５に示すようなポータブルライターなどとしてもよい。
【００３０】
上記構成の記録装置を用いて携帯機器用データをサーバ１３に記憶する手順について、図７のフローチャート図を参照して説明する。
【００３１】
まず、ステップＳ１０１で、記録装置１のメディア装填部２にメディア９を装填、又は、機器接続部３にデジタルカメラ８を接続すると、ステップＳ１０２で、データ入力手段１５は、デジタルカメラ８やメディア９から画像データを読み取る。そして、必要に応じて、読み取った画像データに基づく画像を表示部６に選択可能に表示し、その中からスライドショーの再生に利用する画像データを選択する。
【００３２】
次に、ステップＳ１０３で、家電機器用データ生成手段１６は、読み取った画像データ（又はその中から選択した画像データ）を用いて動画データ（例えば、ＭＰＥＧ１、２、４、７形式などの動画データ）を生成（エンコード）し、生成した動画データを、ＤＶＤプレーヤやＤＶＤレコーダ、ＨＤＤレコーダ、ゲーム機などの家電機器１４で再生可能なＶｉｄｅｏ−ＣＤ形式やＤＶＤ−Ｖｉｄｅｏ形式、ＨＤＴＶ形式に変換（オーサリング）して、家電機器１４でスライドショーを再生するための家電機器用データを生成する。なお、動画データを生成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３３】
また、必要に応じて、読み取った画像データ（又はその中から選択した画像データ）の画素数や色数、サイズなどを減縮したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００３４】
次に、ステップＳ１０４で、記録装置１の記録媒体装填部５にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスクなどの記録媒体１０を装填する。この記録媒体１０として任意の記録媒体を使用してもよいが、特定種類の記録媒体１０に対してのみデータの記録や後述する携帯機器用データの生成ができるようにしてもよく、その場合は、ステップＳ１０５で、記録媒体１０の所定の領域から記録媒体１０を識別するための識別情報を読み出して特定種類の記録媒体１０であるかを判断する。なお、識別情報の記録場所や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３５】
次に、ステップＳ１０６で、各種データを記録媒体１０に書き込む。その際、家電機器１４では所定の領域（ディスク型記録媒体の内側）に記録されたデータしか読み出すことができないため、家電機器用データを記録媒体１０の内側に書き込み、必要に応じてセッションをクローズした後、入力した画像データや必要に応じて生成した縮小画像データ、スライドショープログラムなどのアプリケーション、情報ファイル、音楽データなどを家電機器用データの外側に書き込む。
【００３６】
次に、本発明の特徴である携帯機器用データの生成を開始するが、携帯機器１１には様々な種類があり、その種類に応じて表示手段の性能（画素数や色数など）が異なり、また、その種類に応じて利用可能なデータサイズやファイル形式が異なるため、例えば、携帯機器１１の表示手段の性能を超える画素数や色数の携帯機器用データや、携帯機器１１で利用可能なサイズを超える携帯機器用データでは通信ネットワーク１２や携帯機器１１に無駄な負荷をかけてしまう。一方、携帯機器１１の表示手段の性能に満たない画素数や色数の携帯機器用データではスライドショーの見栄えが悪くなってしまう。
【００３７】
従って、携帯機器用データを作成する際にはスライドショーを閲覧する携帯機器１１の種類に応じた携帯機器用データを作成することが重要であり、そのためには携帯機器１１の性能を特定する必要がある。しかしながら、一般に表示手段の画素数や色数、利用可能なデータサイズやファイル形式などは取扱説明書を見ないと分からないことが多いことから、本実施例では、図９に示すような携帯機器１１の種類と携帯機器１１の性能とを対応付けるテーブルを記憶手段２０に記憶しておく。そして、ステップＳ１０７で、携帯機器１１の種類を入力すると、ステップＳ１０８で、携帯機器用データ生成手段１７は、上記テーブルを参照して入力された種類で特定される携帯機器１１の性能を特定する。
【００３８】
また、作成した携帯機器用データをサーバ１３からダウンロードしたりストリーミングするときにユーザを認証する必要があるため、ステップＳ１０７で携帯機器１１の種類を入力する際に、認証のために利用される識別情報（例えば、ユーザのＩＤやパスワード、携帯機器１１の電話番号、電子メールアドレスなど）も入力する。
【００３９】
なお、上記方法は例示であり、携帯機器１１の性能をユーザが知っている場合は画素数や色数、データサイズ、ファイル形式などを直接入力してもよいし、記録装置１の表示手段６に携帯機器１１のメーカ名や機種名の一覧を表示し、操作部７を用いて選択できるようにしてもよい。また、記録装置１の機器接続部３に携帯機器１１を接続して、携帯機器１１自身からその性能や電話番号、電子メールアドレスなどを取得するようにしてもよい。
【００４０】
次に、ステップＳ１０９で、携帯機器用データ生成手段１７は、読み取った画像データや、家電機器用データの基となる動画データを用いて、携帯機器１１の種類に応じた携帯機器用データを生成する。例えば、ステップＳ１０２で読み取った画像データやステップＳ１０３で生成された動画データが７２０×４８０画素のデータであり、ステップＳ１０８で特定した携帯機器１１の表示手段の画素数が１６０×１２０画素であれば、縦横の画素数を１／４に縮減した携帯機器用データを作成する。また、上記画像データや動画データの色数が１６７７万色であり、携帯機器１１の表示手段で表示可能な最大表示色が６５５３６色であれば、色数を略１／２５６に縮減した携帯機器用データを作成する。また、携帯機器１１で再生可能なデータサイズが１ＭＢであれば、データサイズを１ＭＢ以下に縮減した携帯機器用データを生成する。また、携帯機器１１で利用可能なファイル形式が限定されている場合は、特定のファイル形式に変換した携帯機器用データを生成する。
【００４１】
なお、画素数や色数、データサイズ、ファイル形式の変換方法は特に限定されないが、例えば、画素数を変換する方法としては、画素を均等に間引きしたり、所定の領域（例えば、中央部分）をトリミングするなどの方法がある。また、データサイズを変換する方法としては、画素数や色数を削減したり、圧縮形式を変える方法や、静止画からスライドショーの動画を作成する場合は、上述したように差分０のデータやスライド効果に基づく差分データが付加されていることから、スライド再生間隔を短くして差分データを間引くなどの方法がある。
【００４２】
その後、生成した携帯機器用データをサーバ１３に送信するが、該携帯機器用データは画素数や色数、データサイズ、ファイル形式を変換したものであり、該携帯機器用データが携帯機器１１でどのような状態で再生されるのかを確認することができれば便利である。そこで、本実施例の記録装置１では、携帯機器用データを生成した後、ステップＳ１１０で、必要に応じて、表示制御手段２１は生成した携帯機器用データのスライドショー画像を表示部６に表示させる。その際、携帯機器用データのスライドショー画像を記録装置１の表示部６全面に表示すると粗い画像になってしまうため、例えば、図１０に示すように、スライドショー確認画面２２に携帯機器を模式的に表示し、その携帯機器の表示手段の部分に携帯機器用データのスライドショー画像を表示することもできる。この構成では、実際の携帯機器１１と同じ画素数やサイズで携帯機器用データのスライドショー画像を再生することができるため、実際の携帯機器１１上でどのようにスライドショーが再生されるかを容易に確認することができる。
【００４３】
その後、ステップＳ１１１で、データ送信手段１９は、ネットワーク接続部４を用いて通信ネットワーク１２に接続し、ステップＳ１０９で作成した携帯機器用データと、ステップＳ１０７で入力したユーザＩＤやパスワード、携帯機器１１の電話番号、電子メールアドレスなどの識別情報とサーバ１３に送信する。
【００４４】
一方、サーバ１３は、ステップＳ１１２で、送信された携帯機器用データを識別情報に関連づけて記憶して一連の処理を終了する。
【００４５】
なお、上記フローでは、画像データや家電機器用データを記録した後に自動的に携帯機器用データを生成する構成としたが、携帯機器用データの作成を行うか否かをユーザに選択させ、その選択結果に従って処理を行うようにしてもよい。また、上記フローでは、画像データや家電機器用データを記録した後に携帯機器１１の種類の入力や携帯機器用データの生成を行ったが、一連の処理が可能な限りにおいてその順番を変えることができ、例えば、初めに携帯機器１１の種類を入力したり、家電機器用データの生成と携帯機器用データの生成とを続けて行うなどの変更は可能である。
【００４６】
次に、サーバ１３に記憶された携帯機器用データを利用する手順について、図８のフローチャート図を参照して説明する。
【００４７】
まず、ステップＳ２０１で、ユーザは携帯機器１１を操作してサーバ１３のアドレスを入力し、通信機能を用いてサーバ１３にアクセスし、ステップＳ２０２で、前記したフローで記録装置１を用いて入力したユーザＩＤやパスワード、携帯機器１１の電話番号、電子メールアドレスなどの識別情報を入力してサーバ１３に送信する。
【００４８】
次に、サーバ１３は、ステップＳ２０３で、必要に応じて、送信された識別情報に基づいてユーザを認証した後、ステップＳ２０４で、送信された識別情報に関連づけて記憶された携帯機器用データを特定し、ステップＳ２０５で、該携帯機器用データを通信ネットワーク１２を介して携帯機器１１に送信する。そして、ステップＳ２０６で、携帯機器１１は携帯機器用データを受信（ダウンロード又はストリーミング）して、記録媒体１０に記録された画像データに基づいて作成されたスライドショーの動画データを再生する。
【００４９】
なお、上記フローは携帯機器用データを一旦サーバ１３に記憶する方法であり、この方法を用いることによって好きなときに携帯機器用データをダウンロード又はストリーミングすることができるが、サーバ１３にアクセスすることが煩雑な場合は、作成した携帯機器用データを電子メールに添付して携帯機器１１に直接送信することもできる。その場合は、ステップＳ１０７で電子メールアドレスを入力し、ステップＳ１０９で携帯機器用データを生成し、ステップＳ１１０で必要に応じて該携帯機器用データを表示部６で確認した後、データ送信手段１９は入力された電子メールアドレスに生成した携帯機器用データを添付して送信すればよい。
【００５０】
このように、本実施例の記録装置１は、入力した画像データや該画像データに基づいて生成した家電機器用データを記録媒体１０に記録するのみならず、スライドショーを閲覧する携帯機器１１の種類に応じた画素数や色数、データサイズ、ファイル形式の携帯機器用データを生成してサーバ１３に記憶又は電子メールに添付して送信する。これにより、ユーザは場所や時間を問わずに記録媒体１０に記録された画像データを、携帯機器１１でスライドショーとして閲覧することができるようになる。
【実施例２】
【００５１】
次に、本発明の第２の実施例に係る記録装置及び画像閲覧方法について、図１１乃至図１３を参照して説明する。図１１は、本実施例の画像閲覧システムの構成を模式的に示す図であり、図１２は、本実施例の記録装置の構成を示すブロック図である。また、図１３は、本実施例に係る記録装置の処理手順を示すフローチャート図である。
【００５２】
前記した第１の実施例では、作成した携帯機器用データをサーバ１３に記憶又は電子メールに添付することによって携帯機器１１でスライドショーを閲覧できるようにしたが、この方法では通信ネットワーク１２を介して携帯機器用データを受信しなければならず、頻繁に携帯機器用データをアップロードするユーザにとっては通信のための費用の負担が大きくなるという問題がある。一方、近年の携帯機器１１はメディアを挿入可能な機種も多く、大容量のメディアも低価格で入手することが可能になっている。そこで、本実施例では、携帯機器用データを通信ネットワーク１２を介してサーバ１３に送信するのではなく、携帯機器用データを携帯機器用のメディアに記録してユーザに提供することにより、画像閲覧システム１００をより簡便に利用できるようにする。
【００５３】
具体的に説明すると、本実施例の画像閲覧システム１００は、図１１に示すように、記録装置１と、携帯機器用メディア２３から携帯機器用データを読み取ってスライドショーを再生する携帯機器１１と、記録媒体１０から家電機器用データを読み取ってスライドショーを再生する家電機器１４とを備えている。
【００５４】
また、図１２に示すように、本実施例の記録装置１は、メディア装填部２や機器接続部３などを用いて画像データを入力するデータ入力手段１５と、入力した画像データを家電機器１４でスライドショーとして再生するための家電機器用データを生成する家電機器用データ生成手段１６と、携帯機器１１の種類に応じた携帯機器用データを生成する携帯機器用データ生成手段１７と、記録媒体装填部５を用いて入力した画像データや生成した家電機器用データを記録媒体１０に記録すると共に、メディア装填部２を用いて生成した携帯機器用データをＳＤメモリーカードやｍｉｎｉＳＤカードなどの携帯機器用メディア２３に記録するデータ記録手段１８と、携帯機器の種類と該携帯機器の性能とを対応付けるテーブルなどを記憶する記憶手段２０と、生成した携帯機器用データの確認画面などを表示部６に表示させる表示制御手段２１と、表示部６と、操作部７と、を少なくとも備えている。
【００５５】
なお、本実施例においても、上記各手段は記録装置１にハードウェアとして構成されていてもよいし、コンピュータを、少なくとも携帯機器用データ生成手段１７及びデータ記録手段１８として機能させるプログラムとして構成し、該プログラムを記録装置１にインストールして実行する構成とすることもできる。また、記録装置１の形態も任意であり、図１に示すようなキオスク型としてもよいし、卓上型の店頭端末やパーソナルコンピュータ、専用のセットトップボックス、ポータブルライターなどとしてもよい。
【００５６】
上記構成の記録装置を用いて携帯機器用データを携帯機器用メディア２３に記録する手順について、図１３のフローチャート図を参照して説明する。
【００５７】
前記した第１の実施例と同様に、ステップＳ３０１で、記録装置１のメディア装填部２にメディア９を装填、又は、機器接続部３にデジタルカメラ８を接続し、ステップＳ３０２で、データ入力手段１５を用いて、デジタルカメラ８やメディア９から画像データを読み取り、必要に応じて、読み取った画像データの中からスライドショーの再生に利用する画像データを選択する。
【００５８】
次に、ステップＳ３０３で、家電機器用データ生成手段１６を用いて、入力した画像データを用いて動画データ（例えば、ＭＰＥＧ１、２、４、７形式などの動画データ）を生成（エンコード）し、生成した動画データを、ＤＶＤプレーヤやＤＶＤレコーダ、ＨＤＤレコーダ、ゲーム機などの家電機器で再生可能なＶｉｄｅｏ−ＣＤ形式やＤＶＤ−Ｖｉｄｅｏ形式、ＨＤＴＶ形式に変換（オーサリング）して家電機器用データを生成する。また、必要に応じて、入力した画像データの画素数や色数、サイズなどを減縮したサムネイル画像データやスクリーンネイル画像データなどの縮小画像データを作成する。
【００５９】
次に、ステップＳ３０４で、記録装置１の記録媒体装填部５にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスクなどの記録媒体１０を装填し、必要に応じて、ステップＳ３０５で、記録媒体１０の所定の領域から記録媒体１０を識別するための識別情報を読み出して特定種類の記録媒体１０であるかを判断する。
【００６０】
次に、ステップＳ３０６で、家電機器用データを記録媒体１０の内側に書き込み、必要に応じてセッションをクローズした後、入力した画像データや必要に応じて生成した縮小画像データ、情報ファイル、音楽データなどを家電機器用データの外側に書き込む。
【００６１】
次に、ステップＳ３０７で、携帯機器１１の種類などを入力し、ステップＳ３０８で、携帯機器用データ生成手段１７は、図９に示すようなテーブルを参照して、入力された種類で特定される携帯機器１１の性能を特定する。
【００６２】
次に、ステップＳ３０９で、携帯機器用データ生成手段１７は、読み取った画像データや、家電機器用データの元となる動画データを用いて、携帯機器１１の性能に応じた画素数や色数、データサイズ、ファイル形式などの携帯機器用データを生成する。なお、携帯機器用データの生成方法は第１の実施例と同様であり、例えば、画素を均等に間引きしたり、所定の領域をトリミングするなどして画素数を変換したり、また、画素数や色数を縮減したり、圧縮形式を変えたり、スライド再生間隔を短くして差分データを間引くことによってデータサイズを変換する。その後、ステップＳ３１０で、必要に応じて、表示制御手段２１は表示部６に図１０に示すようなスライドショー確認画面２２を表示させ、作成した携帯機器用データのスライドショー画像を、携帯機器１１と同じ条件で表示する。
【００６３】
次に、前記した第１の実施例では作成した携帯機器用データを通信ネットワーク１２を介してサーバ１３に送信したが、本実施例では、ステップＳ３１１で、メディア装填部２に携帯機器１１で利用可能な携帯機器用メディア２３を装填し、ステップＳ３１２で、データ記録手段１８は、該携帯機器用メディア２３に生成した携帯機器用データを記録する。そして、ユーザは携帯機器１１に携帯機器用メディア２３を装填して、該携帯機器用メディア２３から携帯機器用データを読み取る。これにより、ユーザは記録媒体１０に記録された画像データに基づいて作成されたスライドショーの動画データを携帯機器１１で再生することができるようになる。
【００６４】
このように、本実施例の記録装置１は、入力した画像データや該画像データに基づいて生成した家電機器用データを記録媒体１０に記録するのみならず、スライドショーを閲覧する携帯機器１１の種類に応じた画素数や色数、データサイズ、ファイル形式の携帯機器用データを生成して携帯機器用メディア２３に記録する。これにより、ユーザは場所や時間を問わずに記録媒体１０に記録された画像データを、携帯機器１１でスライドショーとして閲覧することができるようになる。
【００６５】
なお、上記各実施例では、画像データのみでスライドショー用のデータ（家電機器用データ及び携帯機器用データ）を生成したが、本発明は上記実施例に限定されるものではなく、画像データと音楽データとを混合して音楽付きスライドショー用のデータを生成する場合に対しても同様に適用することができる。
【図面の簡単な説明】
【００６６】
【図１】本発明の第１の実施例に係る画像閲覧システムの構成を模式的に示す図である。
【図２】本発明の第１の実施例に係る画像閲覧システムの他の構成を示す図である。
【図３】本発明の第１の実施例に係る画像閲覧システムの他の構成を示す図である。
【図４】本発明の第１の実施例に係る画像閲覧システムの他の構成を示す図である。
【図５】本発明の第１の実施例に係る画像閲覧システムの他の構成を示す図である。
【図６】本発明の第１の実施例に係る記録装置の構成を示すブロック図である。
【図７】本発明の第１の実施例に係る記録装置の処理手順を示すフローチャート図である。
【図８】本発明の第１の実施例に係る携帯機器用データの利用手順を示すフローチャート図である。
【図９】本発明の第１の実施例に係る記録装置の記憶手段に記憶されるテーブルの構成例を示す図である。
【図１０】本発明の第１の実施例に係る記録装置の表示手段に表示される画面の一例を示す図である。
【図１１】本発明の第２の実施例に係る画像閲覧システムの構成を模式的に示す図である。
【図１２】本発明の第２の実施例に係る記録装置の構成を示すブロック図である。
【図１３】本発明の第２の実施例に係る記録装置の処理手順を示すフローチャート図である。
【符号の説明】
【００６７】
１  記録装置
２  メディア装填部
３  機器接続部
４  記録媒体装填部
５  ネットワーク接続部
６  表示部
７  操作部
８  デジタルカメラ
９  メディア
１０  記録媒体
１１  携帯機器
１２  通信ネットワーク
１３  サーバ
１４  基地局
１５  データ入力手段
１６  データ生成手段
１７  データ変換手段
１８  データ記録手段
１９  データ送信手段
２０  記憶手段
２１  表示制御手段
２２  スライドショー確認画面
２３  携帯機器用メディア
１００  画像閲覧システム
【図１】
2006303612.tif 000003
【図２】
2006303612.tif 000004
【図３】
2006303612.tif 000005
【図４】
2006303612.tif 000006
【図５】
2006303612.tif 000007
【図６】
2006303612.tif 000008
【図７】
2006303612.tif 000009
【図８】
2006303612.tif 000010
【図９】
2006303612.tif 000011
【図１０】
2006303612.tif 000012
【図１１】
2006303612.tif 000013
【図１２】
2006303612.tif 000014
【図１３】
2006303612.tif 000015